(57)【要約】  袋支持装置に関する。本発明の一側面に係る袋支持装置は、形状変形によって、袋の入口の内面を外側へ付勢して、袋の入口が開けられている状態を維持するようにしながら、その外面に密着されるようにする袋結合部を含み、袋結合部は、袋の入口と連通する貫通孔を有する。
2016523787.tif 000002
【特許請求の範囲】
【請求項１】
形状変形によって、袋の入口の内面を外側へ付勢して、袋の入口が開けられて固定された状態を維持しながら、その外面に密着されるようにする袋結合部を含み、
上記袋結合部は、袋の入口と連通する貫通孔と、その一部が収縮と拡大される付勢部材と、を備える袋支持装置。
【請求項２】
上記袋結合部は、上記外面には、摩擦部材が備えられていることを特徴とする請求項１に記載の封支持装置。
【請求項３】
上記袋結合部は、支持部によって一定の高さを持って位置固定されていることを特徴とする請求項１に記載の封支持装置。
【請求項４】
上記袋結合部には、カバーが結合されることができることを特徴とする請求項１に記載の封支持装置。
【発明の詳細な説明】
【技術分野】
【０００１】
本発明は、袋支持装置に関し、具体的には、袋の入口を広げて袋を支持したり、密閉することのできる袋支持装置に関する。
【背景技術】
【０００２】
ゴミ袋や生ゴミ袋のようなビニール袋は、一定の容量を持って、その容量がすべて満たされた場合、袋の上端が縛られて捨てられることが一般である。しかしながら、ビニール袋の容量がすべて満たされていない場合は、容量が一杯になるまで、袋の上端を開き、ゴミを入れた後、再度縛って保管して使用するのが一般である。したがって、ゴミ袋や生ゴミ袋の入口を開けて支持したり、密閉することのできる装置がある場合は、ゴミを袋に捨てるたびに、袋の上端の縛りを解いて再度縛ることが不要となり、使いやすく、また、ゴミの臭いも防ぐことができ、衛生的に使用できるようになる。
【発明の概要】
【発明が解決しようとする課題】
【０００３】
したがって、本発明の目的は、上述した問題点を解決するために導き出されたものであり、構成が簡単で使いやすい袋支持装置を提供することにある。
【０００４】
本発明の他の目的は、以下に述べられる実施例に基づいて更に明確になるであろう。
【課題を解決するための手段】
【０００５】
本発明の一側面に係る袋支持装置は、形状変形によって袋の入口の内面を外側へ付勢して、袋の入口が開けられて固定された状態を維持しながら、その外面に密着されるようにする袋結合部を含み、袋結合部は、袋の入口と連通する貫通孔と、その一部が収縮と拡大される付勢部材と、を備える。
【０００６】
本発明に係る袋支持装置は、以下のような実施例を一つ又はそれ以上備えることができる。例えば、袋結合部の外面には、摩擦部材が備えられている。
【０００７】
袋結合部は、支持部によって一定の高さを持って位置固定されることができる。
【０００８】
袋結合部には、カバーが結合されることができる。
【発明の効果】
【０００９】
本発明は、構成が簡単で使いやすい袋支持装置を提供することができる。
【図面の簡単な説明】
【００１０】
【図１】図１は、本発明の第１の実施例に係る袋支持装置を例示する斜視図である。
【図２】図２は、図１に例示された袋支持装置にて袋が結合された状態を例示する斜視図である。
【図３】図３は、図１に例示された袋支持装置の袋結合部が収縮された状態を例示する平面図である。
【図４】図４は、図３の状態で袋結合部が膨張した状態を例示する平面図である。
【図５】図５は、図１に例示された袋支持装置の袋結合部にカバー部が結合されている状態を例示する断面図である。
【発明を実施するための形態】
【００１１】
本発明は、様々な変換を加えることができ、複数の実施例を有することができるので、特定の実施例を図面に例示し、詳細な説明において詳細に説明しようとする。しかしながら、これは、本発明を特定の実施形態について限定しようとするものではなく、本発明の思想及び技術範囲に含まれるあらゆる変換、均等物ないし代替物を含むものと理解されるべきである。本発明を説明するに当たり、関連する公知技術に対する具体的な説明が本発明の要旨を曖昧にすると判断される場合、その詳細な説明を省略する。
【００１２】
本出願で使用した用語は、単に特定の実施例を説明するために使用されたものであり、本発明を限定しようとする意図ではない。単数の表現は、文脈上明白に異なる意味でない限り、複数の表現を含む。本出願において、“含む”又は“持つ”などの用語は、明細書上に記載されている特徴、数字、段階、動作、構成要素、部品、又はこれらを組み合わせたものが存在することを指定しようとするだけであり、１つ又はそれ以上の他の特徴や数字、段階、動作、構成要素、部品、又はこれらを組み合わせたものの存在又は付加可能性を予め排除するわけではないと理解されるべきである。
【００１３】
内部、外部及び上部、下部などの用語は、様々な構成要素を説明するために使用することができるが、上記の構成要素は、前記用語によって限定されるべきではない。上記用語は、一つの構成要素を他の構成要素から区別する目的のみに使用される。
【００１４】
以下で説明する袋は、入口を有するポケット状であり、合成樹脂、紙、シリコン、繊維などの様々な材質によって形成できることは言うまでもない。また、袋の側面と底は、面によって形成することができるが、大小の穴が形成された網目によって形成されることもできる。
【００１５】
以下、添付の図面を参照して、本発明に係る実施例を詳細に説明することとし、添付の図面を参照して説明するにあたり、図面符号に関係なく、同一又は対応する構成要素には同一の参照番号を付し、これに対する重複する説明は、省略することにする。
【００１６】
以下では、図１〜図５を参照しながら、本発明の第１の実施例に係る袋支持装置１００について説明することにする。
【００１７】
図１及び図２は、本発明の第１の実施例に係る袋支持装置１００を例示する斜視図であり、図１は、袋１７０とカバー部１４０とが結合していない状態を例示し、図２は、袋１７０とカバー部１４０とが結合している状態を例示する。図１及び図２において、袋１７０は、便宜上点線で示している。
【００１８】
図１〜図２を参照すると、本発明の第１の実施例に係る袋支持装置１００は、袋１７０の入口と結合する袋結合部１２０と、袋結合部１２０を一定の高さを持つように支持する支持部１５０と、支持部１５０の端部に結合しているベース部１６０と、袋結合部１２０及び袋１７０の内部に挿入され得るカバー部１４０と、を含む。
【００１９】
袋結合部１２０は、その一部が弾性的に変形されるが、このような変形によって袋結合部１２０の外径が拡大又は縮小される。したがって、図１に示すように、袋結合部１２０の外径が縮小された状態で、袋１７０を袋結合部１２０に挿入(袋結合部１２０の周りに位置させることを含む。以下、同様)した後、袋結合部１２０の外径を、図２に示すように拡大すると、袋１７０の入口が、袋結合部１２０の外面１２２に固定され得るようになる。これにより、袋１７０は、袋結合部１２０によって、その入口が開けられている状態を維持しながら、一定の形態を維持することができるようになる。
【００２０】
本実施例に係る袋支持装置１００は、袋結合部１２０の一部の弾性的な変形によって袋１７０と結合するので、構成が簡単であるというメリットを有する。また、ユーザーは、図１のように、袋結合部１２０の一部に対応する付勢部材１３４を収縮させた状態で袋１７０を袋結合部１２０に挿入した後、図２のように、袋結合部１２０の一部に対応する付勢部材１３４を弾性的に拡大させるとよいので、使いやすいというメリットも合わせて持つ。
【００２１】
図３は、袋結合部１２０の付勢部材１３４が収縮された状態を例示する平面図であり、図４は、図３に例示された袋結合部１２０の付勢部材１３４が弾性変形して外側に拡大された状態を例示する平面図である。そして、図５は、図１に例示された袋支持装置１００の袋結合部１２０にカバー部１４０が結合された状態を例示する断面図である。
【００２２】
図１〜図５を参照すると、袋結合部１２０の外面１２２の周りには、袋１７０の入口が挿入される。袋結合部１２０は、付勢部材１３４を有するが、付勢部材１３４の弾性的な変形(内側に縮小された状態で、外側に拡大)によって袋１７０の入口の内面を外側へ付勢する。これにより、袋１７０は、その入口が袋結合部１２０によって開けられている状態を維持しながら、袋結合部１２０の外面１２２の周りに位置固定される。
【００２３】
袋結合部１２０は、楕円形状の横断面を有し、その中央には、貫通孔１３２が形成されている。そして、袋結合部１２０は、一定の高さを持って外面１２２と内面１２８を有する。また、袋結合部１２０の一部は、弾性的に変形可能な付勢部材１３４に対応する。
【００２４】
袋結合部１２０は、弾性力を有する材質、例えば、プラスチック樹脂又は金属等によって形成することができ、弾性力を有する場合、その材質によって制限されない。袋結合部１２０の一側に形成された付勢部材１３４は、弾性力をもって、その形状が弾性的に変形することができる。例えば、付勢部材１３４は、図３の状態のように、内側に折り曲げられており、弾性的に変形されて、図４のように外側に突出することができる。
【００２５】
付勢部材１３４の両端部には、その厚さが他の部分に比べて薄く形成されている回動点１３６が備えられている。付勢部材１３４は、回動点１３６を基準に回転することができるようになる。もちろん、付勢部材１３４は、回動点１３６を備えていないこともある。この場合、付勢部材１３４の部分は、弾性力を有する材質によって形成され、付勢部材１３４以外の部分は、弾性力を持たない材質によって形成することができる。そして、付勢部材１３４と付勢部材１３４以外の部分の連結部とは、付勢部材１３４を側方向に押した場合、付勢部材１３４の移動を可能にする構造にすることができる。
【００２６】
袋結合部１２０の付勢部材１３４が、図３のように内側に収縮された場合、袋結合部１２０の周りの長さが縮小されるため、一定の入口の大きさを有する袋１７０を容易に袋結合部１２０の周りに挿入することができるようになる。この場合、袋結合部１２０の外面１２２は、袋１７０の入口の内面を外側へ付勢しないこともあり得る。
【００２７】
図３の状態にある袋結合部１２０の周りに袋１７０を挿入した後、付勢部材１３４を、図４のように外側に弾性的に変形させると、袋結合部１２０の周りの長さが拡大される。これにより、袋結合部１２０の外面１２２は、袋１７０の入口の内面を外側へ付勢することになるが、結果的に、袋１７０は、袋結合部１２０の外面１２２に密着されて位置固定されることができるようになる。付勢部材１３４が外側に拡大される形状変形によって、袋結合部１２０の周りに挿入された袋１７０の入口が拡大される変形が発生することもできる。
【００２８】
第１の実施例に係る袋支持装置１００の袋結合部１２０は、楕円形の横断面を有すると例示したが、本発明に係る袋支持装置は、袋結合部の形状によって制限されない。したがって、袋結合部は、円形又は多角形などの多様な形状を持つことができることは、言うまでもない。
【００２９】
また、袋結合部１２０において、付勢部材１３４は、円弧(arc)形状を有し、袋結合部１２０の一側に１つが備えられると例示したが、付勢部材もその形状や個数によって制限されない。 例えば、付勢部材は、２つ以上の折り曲げ箇所を有する多角形形状を有することができ、袋結合部１２０に２つ以上備えられることができる。
【００３０】
袋結合部１２０の外面１２２には、摩擦部材１２４が形成されている。摩擦部材１２４は、袋結合部１２０の外面１２２で、その周りに沿って形成される。摩擦部材１２４の表面は、摩擦力をもって、袋結合部１２０の外面に１２２に密着されて位置固定された袋１７０が容易に離脱することを防止する。摩擦部材１２４は、ゴム又はシリコンなどのように摩擦力を有する材質によって形成されたり、袋結合部１２０の外面１２２の一部に摩擦力を付与するために形成された突起(図示せず)、又は溝(図示せず)などによって具現することができる。
【００３１】
摩擦部材１２４は、袋結合部１２０の外側と袋１７０の内側面との間に存在し、その隙間を密閉する機能をすることができる。つまり、摩擦部材１２４は、ごみの臭いが漏れ出ることを防止するパッキンの機能を有することもできる。
【００３２】
袋結合部１２０の下端部には、内側に傾斜するように曲線処理されたラウンド１２６が形成されている。ラウンド１２６は、袋結合部１２０の周りに袋１７０の入口が容易に挿入できるようにする。 
袋結合部１２０の内面１２８は、貫通孔１３２を規定する。貫通孔１３２は、袋結合部１２０の中央に形成された穴に対応するものであり、図２に例示されているように、袋結合部１２０に挿入された袋１７０と連通している。したがって、袋結合部１２０とこれに結合された袋１７０とは、一種のゴミ箱に類似している構成を有するが、この場合、袋結合部１２０の貫通孔１３２は、ゴミ箱の入り口に該当する。
【００３３】
袋結合部１２０は、一定の高さをもって、その外面１２２に密着される袋１７０との一定の結合面積を有することができる。
【００３４】
袋結合部１２０は、支持部１５０によって一定の高さを持つようになる。支持１５０は、袋結合部１２０の一側の上端部に結合されているものであり、水平部材１５２と垂直部材１５４とを有する。垂直部材１５４は、地面に位置するベース部１６０から袋結合部１２０が一定の高さを持つようにする。
【００３５】
支持１５０は、高さの調節が可能な構造(図示せず)を持って、袋結合部１２０の高さを調整することができる。
【００３６】
ベース部１６０は、垂直部材１５４の端部に結合されているものであり、支持部１５０と袋結合部１２０とが転倒することを防止する。ベース部１６０の下面には、その位置を固定し、スリップを防止するために、ゴムパッド(図示せず)などの摩擦力を有する部材が結合されることができる。そして、ベース部１６０は、床との支持接触面を状況に応じて可変して広く調節できる調節受け部材(図示せず)を備えることもできる。
【００３７】
カバー部１４０は、袋結合部１２０及び袋１７０のいずれかに挿入され、その入口を閉鎖する役割をする。図２では、カバー部１４０が袋結合部１２０を通過して袋１７０の内部に挿入されている状態が例示されている。カバー部１４０は、カバー本体１４２と、パッキン１４４と、ハンドル１４６と、を備える。
【００３８】
カバー本体１４２は、袋結合部１２０と同様に楕円形状を有し、その大きさは、袋結合部１２０に比べてやや小さく形成することができる。カバー本体１４２の周りには、パッキン１４４が挿入され、その上面には、ハンドル１４６が結合されることができる。
【００３９】
カバー部１４０は、図５に例示されたように、袋結合部１２０の内部に位置することができる。この場合、パッキン１４４は、袋結合部１２０の内面１２８に密着されて密閉力を提供する。これにより、袋１７０の内部に生ごみなどの悪臭を誘発するごみ(図示せず)が捨てられている場合にも、カバー部１４０によって悪臭が外部に流出されることを防止することができるようになる。
【００４０】
カバー部１４０は、袋結合部１２０を通過して袋１７０の内部に位置することもできる。この場合は、袋１７０に捨てられたゴミの量が少ない場合に該当することができ、パッキン１４４は、袋１７０の内面に密着されて密閉力を提供することができる。
【００４１】
ハンドル１４６は、カバー部１４０を袋１７０又は袋結合部１２０から容易に外部に分離できるようにする。
【００４２】
本実施例に係るカバー部１４０は、袋結合部１２０を通過して袋１７０の内部まで挿入することができるものと例示したが、他の実施例に係るカバー部は、袋結合部１２０の上端部にかかって袋結合部１２０を通過できない構造を有することもある。
【００４３】
以下では、図１〜図５を参照しながら、本実施例に係る袋支持装置１００の使用について説明することにする。
【００４４】
まず、袋結合部１２０に袋１７０を挿入するために、袋結合部１２０の付勢部材１３４を図１及び図３のように内側に折り曲げる。これにより、袋結合部１２０の周りの長さが減って、入口が一定の大きさを有する袋１７０を容易に袋結合部１２０に挿入することができるようになる。
【００４５】
図１及び図３の状態で、袋１７０を袋結合部１２０の下から上へ挿入する。袋結合部１２０の下部には、丸み１２６が形成されているので、袋１７０の入口は、袋結合部１２０に容易に挿入することができる。
【００４６】
袋結合部１２０に袋１７０を挿入した後、付勢部材１３４を図２及び図４に示すように外側に折り曲げる。 付勢部材１３４は、一定の弾性力を有するため、外側に引き寄せるだけで、その弾性力によって外側に広げることができる。付勢部材１３４が図２及び図４に示すように外側に広げられることで、袋結合部１２０の外面１２２は、袋１７０の入口の内部の周りを外側方向に付勢する。これにより、袋１７０は、袋結合部１２０の周りに密着されて位置固定され、その入口も袋結合部１２０によって開けられた状態を維持することができるようになる。
【００４７】
袋結合部１２０に袋１７０を結合することにより、図２のような状態になる。ユーザーは、袋結合部１２０によって入口が開けられている状態にある袋１７０の内部にゴミを容易に捨てることができるようになる。そして、袋１７０にゴミが満たされた場合は、カバー部１４０を用いて、袋１７０の入口を密閉することができる。
【００４８】
袋１７０にゴミが適当に満たされた場合は、付勢部材１３４を、図２及び図４の状態で図１及び図３のように内側に折り曲げる。これにより、袋１７０の入口の内部の周りを外側へ付勢している袋結合部１２０は、その周りの長さが減少することになる。したがって、袋１７０は、袋結合部１２０から容易に分離することができるようになる。
【００４９】
以上で、本発明の一実施例を参照して説明したが、当該技術分野で通常の知識を有する者であれば、下記の特許請求の範囲に記載された本発明の思想及び領域から逸脱しない範囲内で、本発明を多様に修正及び変更することができることを理解できるだろう。
【図１】
2016523787.tif 000003
【図２】
2016523787.tif 000004
【図３】
2016523787.tif 000005
【図４】
2016523787.tif 000006
【図５】
2016523787.tif 000007
【国際調査報告】
2016523787.tif 000008
2016523787.tif 000009
2016523787.tif 000010
2016523787.tif 000011